(57)【要約】【課題】炊飯器に保持させることのできる使い勝手の良いしゃもじを提供する。【解決手段】樹脂製のしゃもじ１において、取っ手部３に永久磁石６を埋め込み、取っ手部３の上面に略平坦部４を形成し、略平坦部４が最も上部に位置するように形成した。永久磁石６を埋め込む凹部７を形成し、この凹部７に永久磁石６を挿入した後、永久磁石６を覆って目隠し蓋８を超音波溶着によって取付けた。強磁性金属材料で構成された炊飯器９の外枠１０の任意の位置に、永久磁石６による磁力によってしゃもじ１を保持させることができ、使い勝手を向上できる。【選択図】　　図１
2004057227.tif 000002
【特許請求の範囲】
【請求項１】
皿状のしゃもじ部と、取っ手部とを備えたしゃもじにおいて、磁石を備えたことを特徴とするしゃもじ。
【請求項２】
前記磁石を備え、略平坦部を形成するとともに、この略平坦部が上部に位置するように形成したことを特徴とする請求項１記載のしゃもじ。
【請求項３】
凹部を形成するとともに、前記磁石を覆うようにして、溶着によって取付けられる蓋を設けたことを特徴とする請求項１又は２に記載のしゃもじ。
【発明の詳細な説明】
【０００１】
【発明の属する技術分野】
本発明は、ご飯をよそう際に用いる炊飯器用のしゃもじに関する。
【０００２】
【発明が解決しようとする課題】
従来の炊飯器用のしゃもじは、炊飯器本体に樹脂製のしゃもじ受けが取付けられており、そのしゃもじ受けにしゃもじの取っ手部を挿入することで、しゃもじが保持されるようになっていた。
【０００３】
しかしながら、このしゃもじ受けは使いやすい位置に取付けられているとは限らず、また、しゃもじ受けが外れやすい構造のものが多かった。そのため、しゃもじ受けにしゃもじを挿入したり、しゃもじ受けからしゃもじを取り出したりする際の使い勝手が悪いという問題があった。
【０００４】
そこで本発明は、炊飯器に保持させることのできる使い勝手の良いしゃもじを提供することを目的とする。
【０００５】
【課題を解決するための手段】
本発明の請求項１記載のしゃもじによれば、強磁性金属材料で構成された炊飯器の外殻の任意の位置に、磁石による磁力によってしゃもじを保持させることができ、使い勝手を向上できる。
【０００６】
また、本発明の請求項２記載のしゃもじによれば、略平坦部を炊飯器の外殻に保持させることができ、使い勝手を向上できる。
【０００７】
さらに、本発明の請求項３記載のしゃもじによれば、磁石を埋め込んでいるにもかかわらず、従来のものと外観上差異のないしゃもじを提供することができる。
【０００８】
【発明の実施形態】
以下、本発明のしゃもじの一実施例について、図１から図３を参照しながら説明する。１は樹脂製のしゃもじであり、ご飯を載せる皿状のしゃもじ部２と、取っ手部３とを備えている。
【０００９】
取っ手部３の上面には略平坦部４が形成され、この略平坦部４はしゃもじ１全体の最も上部に位置するように形成されている。すなわち、略平坦部４から延長した平面Ａ上には、しゃもじ１の他のどの部分も突出していない。そして、しゃもじ部２の先端部５は、平面Ａから距離Ｂをおいた下方に形成されている。
【００１０】
取っ手３の略平坦部４の下部には、磁石たる永久磁石６が埋め込まれている。より詳細には、取っ手３に形成された凹部７に、永久磁石６が挿入されており、この永久磁石６の上部を覆うように、しゃもじ１と同じ材料からなる目隠し蓋８が取付けられている。この目隠し蓋８はしゃもじ１に超音波溶着によって取付けられたものであり、外観上、目隠し蓋８としゃもじ１の境界はほとんど識別できないように溶着されている。そして、目隠し蓋８の上面が略平坦部４を形成している。また、外観から永久磁石６は識別できないように構成されている。
【００１１】
目隠し蓋８の上面の略平坦部４と、永久磁石６との距離Ｃと、取っ手３の下面と永久磁石６との距離Ｄとの関係は、Ｃ＜Ｄとしている。
【００１２】
なお、しゃもじ１に目隠し蓋８を取付ける方法としては、上記超音波溶着の他にも、接着剤を用いた接着等が考えられるが、接着剤を用いた接着は乾燥時間を要したり、接着剤の溶剤の臭いが製造上の環境を悪化させるなどの問題がある。これに対し、超音波溶着は、通常１秒前後で瞬時に溶着できるので乾燥時間を必要とせず、接着剤を用いないので製造上の環境を悪化させることがない上に、界面部だけ発熱が生じるためしゃもじ１の外観に影響を与えることがなく美観に優れるなどの利点を有する。
【００１３】
９は炊飯器であり、その外郭たる外枠１０は鉄系の強磁性金属材料で形成されている。また、１１は炊飯器９を持ち上げるためのハンドルであり、回動自在に設けられている。そして、しゃもじ１は、取っ手部３に埋め込まれた永久磁石６の磁力によって、炊飯器９の外枠１０に略平坦部４を当接させて保持されるようになっている。
【００１４】
外枠１０の底部には、その開口を覆い炊飯器９の底面外郭を形成する底板１２が嵌合し固定されている。また、炊飯器９の内部には有底筒状の容器収容部たる鍋収容部１３が配設され、鍋収容部１３に容器たる鍋１４が着脱自在に収容される。鍋１４は、熱伝導性の良好なアルミニウム、アルミニウム合金、ジュラルミン、マグネシウム、銅などを、鍋１４の母体たる主体１５とし、この主体１５の外面側の底部と側面下部に、フェライト系ステンレスや鉄板などの磁性金属製の発熱体１６が接合される。また、有底筒状をなす鍋１４の上部には、水平方向外側に延出したフランジ部１７が形成される。そして、フランジ部１７の下面を鍋収容部１３の上端部に載置することにより、この鍋収容部１３の内部にて鍋１４を吊設状態に収容する構成となっている。
【００１５】
鍋１４を収容する鍋収容部１３の外側下部には、鍋１４を電磁誘導加熱するための加熱手段たる誘導加熱コイル１８が設けられる。この鍋加熱手段に相当する誘導加熱コイル１８は、複数の線材を撚り合わせて構成され、発熱体１６に対向して前記鍋１４の底部および側面下部を加熱する位置に、螺旋状に巻き付くように設けられている。そして、所定の高周波電流を誘導加熱コイル１８に供給することで、発熱体１６を電磁誘導加熱により発熱させて、鍋１４を加熱し、鍋１４内に収容した米や水などの被調理物（被炊飯物）を加熱する構成となっている。
【００１６】
炊飯器９の内部には、鍋収容部１３の中心部に位置して、炊飯および保温時における鍋１４の温度を検出する容器温度検出手段たる鍋温度センサ１９が設けられている。誘導加熱コイル１８の外側には、この誘導加熱コイル１８を鍋収容部１３側に押し付けて固定するコイルカバー２０が設けられている。そして、コイルカバー２０の中心部には、前記鍋温度センサ１９を収容するための凸状のセンサ収容部２１が形成される。
【００１７】
鍋収容部１３やコイルカバー２０の材質は、耐熱性に優れたガラス繊維入りポリエチレンテレフタレート樹脂で、内部に中空のセラミックビーズ（図示せず）を１０％〜２０％含有している。そして、このセラミックビーズにより鍋収容部１３の内部に無数の断熱空間を形成し、且つ断熱性を向上した材料を使用することで、鍋１４の側面を加熱する構成が無い状態での、鍋１４の側面の冷えを防止する構成にしてある。
【００１８】
また、２２は蓋体であり、図示しないヒンジ軸に軸支される一方、ヒンジ軸とは反対側の炊飯器９の前方正面側に、図示しない蓋体係止部たるフックボタンが設けられており、フックボタンを操作することにより、蓋体２２がヒンジ軸を中心に自動的に開くようになっている。
【００１９】
次に、上記実施例における作用を説明する。しゃもじ１の略平坦面４を炊飯器９の外枠１０の垂直面に当接させると、取っ手部３に埋め込まれている永久磁石６の磁力によって、しゃもじ１が外枠１０に保持される。この略平坦部４はしゃもじ１全体の最も上部に位置するように形成されているため、略平坦部４は外枠１０と密着することができ、安定した状態でしゃもじ１が保持される。
【００２０】
図３に示すようにしゃもじ１を炊飯器９の外枠１０に保持させて取付ければ、ハンドル１１を回転させてもハンドル１１にしゃもじ１がぶつかることがなく、邪魔にならない。また、しゃもじ１をハンドル１１に全く干渉しない位置にも取付けることができる。そして、外枠１０上の任意の位置に取付けることができるので、わざわざしゃもじ受けに挿入するなどの手間が全く不要である。
【００２１】
以上のように、本実施例によれば、ご飯を載せる皿状のしゃもじ部２と、取っ手部３とを備えた樹脂製のしゃもじ１において、永久磁石６を埋め込んだので、しゃもじ受けがなくとも、強磁性金属材料で構成された炊飯器９の外郭たる外枠１０の任意の位置に、永久磁石６による磁力によってしゃもじ１を保持させることができ、わざわざしゃもじ受けに狙いを付けて挿入しなくても良く、使い勝手を向上できる。
【００２２】
また、取っ手部３に永久磁石６を埋め込み、取っ手部３の上面に略平坦部４を形成するとともに、この略平坦部４が最も上部に位置するように形成したので、取っ手部３の上面の略平坦部４を炊飯器９の外枠１０に保持させることができ、使い勝手を向上できる。
【００２３】
そして目隠し蓋８の上面の略平坦部４と、永久磁石６との距離Ｃは、取っ手部３の下面と永久磁石６との距離Ｄに対し小さくしてあるので、略平坦部４側での吸着力を維持できる。
【００２４】
さらに、永久磁石６を埋め込む凹部７を形成するとともに、この凹部７に挿入した永久磁石６を覆うようにして、超音波溶着によって取付けられる目隠し蓋８を設けたので、永久磁石６を埋め込んでいるにもかかわらず、従来のものと外観上差異のない全く自然な風合いのしゃもじ１を提供することができる。そして、超音波溶着で目隠し蓋８を取付けたことにより、美観にも優れ、使用時に違和感なく用いることができる。また、しゃもじ１を洗浄する際においても、従来のしゃもじと同様に、永久磁石６を気にすることなく取り扱うことができる。
【００２５】
本発明は上記実施例に限定されるものではなく、本発明の要旨の範囲において種々の変形実施が可能である。
【００２６】
【発明の効果】
本発明の請求項１記載のしゃもじによれば、強磁性金属材料で構成された炊飯器の外殻の任意の位置に、磁石による磁力によってしゃもじを保持させることができ、使い勝手を向上できる。
【００２７】
また、本発明の請求項２記載のしゃもじによれば、略平坦部を炊飯器の外殻に保持させることができ、使い勝手を向上できる。
【００２８】
さらに、本発明の請求項３記載のしゃもじによれば、磁石を埋め込んでいるにもかかわらず、従来のものと外観上差異のないしゃもじを提供することができる。
【図面の簡単な説明】
【図１】本発明のしゃもじの一実施例を示す全体斜視図である。
【図２】同上断面図である。
【図３】同上使用状態を示す一部断面図である。
【符号の説明】
１　しゃもじ
２　しゃもじ部
３　取っ手部
４　略平坦部
６　永久磁石（磁石）
７　凹部
８　目隠し蓋
９　炊飯器
１０　外枠（外郭）
【図１】
2004057227.tif 000003
【図２】
2004057227.tif 000004
【図３】
2004057227.tif 000005